(57)【要約】      （修正有）【課題】簡易な構成で浸水を十分に阻止することが可能な浸水阻止機構を提供する。【解決手段】浸水阻止機構１は、止水板１０と２つの保持レール３０Ｌ，３０Ｒを備える。２つの保持レール３０Ｌ，３０Ｒの各々は、建物の入り口に固定されると共に、止水板１０が上方からスライドして挿入されることで止水板１０の左右の端部の各々を保持する。２つの保持レール３０Ｌ，３０Ｒの各々は、ナット部材３５、ナット部材装着部、および第２貫通ネジ穴を備える。止水板１０が保持レール３０Ｌ，３０Ｒに挿入された後、ナット部材装着部にナット部材３５が装着される。ナット部材３５の第１貫通ネジ穴にネジが締め付けられることで、止水板１０の下部の第１パッキンが圧縮される。保持レール３０Ｌ，３０Ｒの第２貫通ネジ穴にネジが締め付けられることで、止水板１０の左右の第２パッキンが圧縮される。【選択図】図１
2018145727.tif 000002
【特許請求の範囲】
【請求項１】
建物の入り口に設置され、前記入り口から前記建物の内部への浸水を阻止する浸水阻止機構であって、
止水板と、
前記入り口に固定されると共に、前記止水板が上方からスライドして挿入されることで前記止水板の左右の端部の各々を保持する２つの保持レールと、
を備え、
２つの前記保持レールの各々は、
前記止水板における左右の端部の各々の板面を前後方向から挟むように、互いに対向して配置される第１挟持片および第２挟持片と、
第１ネジのネジ部を挿入可能な第１貫通ネジ穴が形成されたナット部材と、
前記保持レールに挿入される前記止水板よりも上方に設けられ、前記ナット部材が着脱可能に装着されるナット部材装着部と、
２つの前記第１挟持片の各々のうち、高さが互いに異なる少なくとも２つの位置に形成され、第２ネジのネジ部を挿入可能な第２貫通ネジ穴と、
を備え、
前記止水板は、
下端部に設けられ、設置面との間の隙間を埋める第１パッキンと、
２つの前記第２挟持片の各々に対向する位置に設けられ、前記第２挟持片との間の隙間を埋める第２パッキンと、
を備え、
前記止水板が２つの前記保持レールに挿入された後、前記ナット部材装着部に前記ナット部材が装着され、
前記ナット部材の前記第１貫通ネジ穴に前記第１ネジを挿入して回転させることで、前記止水板が下方に押圧されて前記第１パッキンが圧縮され、
複数の前記第２貫通ネジ穴の各々に前記第２ネジを挿入して回転させることで、前記止水板が前記第２挟持片に向けて押圧されて前記第２パッキンが圧縮されることを特徴とする浸水阻止機構。
【請求項２】
請求項１に記載の浸水阻止機構であって、
前記止水板は、
前記ナット部材装着部に装着される前記ナット部材の前記第１貫通ネジ穴に対向する位置に設けられ、前記第１貫通ネジ穴に挿入される前記第１ネジの先端が当接する第１保護プレートをさらに備えたことを特徴とする浸水阻止機構。
【請求項３】
請求項１または２に記載の浸水阻止機構であって、
前記止水板は、
前記第１挟持片に設けられた前記第２貫通ネジ穴に対向する位置に設けられ、前記第２貫通ネジ穴に挿入される前記第２ネジの先端が当接する第２保護プレートをさらに備えたことを特徴とする浸水阻止機構。
【請求項４】
請求項１〜３のいずれかに記載の浸水阻止機構であって、
前記止水板は、
前記建物の外部側に向けて延び、前記止水板の上方を乗り越える水の量を減少させる波返し板をさらに備えたことを特徴とする浸水阻止機構。
【請求項５】
請求項１〜４のいずれかに記載の浸水阻止機構であって、
前記止水板のうち少なくとも外部側に向く板面は、防水材によってコーティングされていることを特徴とする浸水阻止機構。
【請求項６】
請求項１〜５のいずれかに記載の浸水阻止機構であって、
前記止水板の上部に取っ手が設けられていることを特徴とする浸水阻止機構。
【請求項７】
請求項１〜６のいずれかに記載の浸水阻止機構であって、
２つの前記保持レールの各々の前記第２挟持片のうち、高さが互いに異なる少なくとも２つの位置に、前記保持レールを前記建物に固定するための第３ネジが挿通される第３貫通ネジ穴が形成されていることを特徴とする浸水阻止機構。
【請求項８】
請求項７に記載の浸水阻止機構であって、
２つの前記保持レールの各々の前記第１挟持片のうち、前記第３貫通ネジ穴の各々に対向する位置に、前記第３ネジを回すためのドライバーが挿通される穴または切欠きが形成されていることを特徴とする浸水阻止機構。
【発明の詳細な説明】
【技術分野】
【０００１】
本開示は、建物の入り口から内部への浸水を阻止する浸水阻止機構に関する。
【背景技術】
【０００２】
豪雨等によって発生した大量の水が建物の入り口から内部に流入することを阻止する場合、一般的には、入り口に土嚢を積み上げることが多い。しかし、土嚢を運んで積み上げることは非常に大変であり、積み上げを完了するまでに長時間を要する。土嚢の隙間から浸水してしまう場合もある。また、土嚢を保管しておくためのスペースも必要となる。
【０００３】
そこで、入り口に止水板を設置する技術が提案されている。例えば、特許文献１に記載の技術では、入り口に予め取り付けられた受具に止水板が装着され、止水板に設けられたレバーが押し下げられる。その結果、止水板と受具の間の隙間が狭くなり、浸水が防止される。
【先行技術文献】
【特許文献】
【０００４】
【特許文献１】特開２０１０−１４４４９９号公報
【発明の概要】
【発明が解決しようとする課題】
【０００５】
止水板を用いる従来の機構は、レバー等の構成が必要であり、構造が複雑であった。また、止水板と受具等との間の隙間を埋めることが不十分となり、止水板を設置しても隙間から浸水してしまう場合もあった。
【０００６】
本開示の典型的な目的は、簡易な構成で浸水を十分に阻止することが可能な浸水阻止機構を提供することである。
【課題を解決するための手段】
【０００７】
本開示における典型的な実施形態が提供する浸水阻止機構は、建物の入り口に設置され、前記入り口から前記建物の内部への浸水を阻止する浸水阻止機構であって、止水板と、前記入り口に固定されると共に、前記止水板が上方からスライドして挿入されることで前記止水板の左右の端部の各々を保持する２つの保持レールと、を備え、２つの前記保持レールの各々は、前記止水板における左右の端部の各々の板面を前後方向から挟むように、互いに対向して配置される第１挟持片および第２挟持片と、第１ネジのネジ部を挿入可能な第１貫通ネジ穴が形成されたナット部材と、前記保持レールに挿入される前記止水板よりも上方に設けられ、前記ナット部材が着脱可能に装着されるナット部材装着部と、２つの前記第１挟持片の各々のうち、高さが互いに異なる少なくとも２つの位置に形成され、第２ネジのネジ部を挿入可能な第２貫通ネジ穴と、を備え、前記止水板は、下端部に設けられ、設置面との間の隙間を埋める第１パッキンと、２つの前記第２挟持片の各々に対向する位置に設けられ、前記第２挟持片との間の隙間を埋める第２パッキンと、を備え、前記止水板が２つの前記保持レールに挿入された後、前記ナット部材装着部に前記ナット部材が装着され、前記ナット部材の前記第１貫通ネジ穴に前記第１ネジを挿入して回転させることで、前記止水板が下方に押圧されて前記第１パッキンが圧縮され、複数の前記第２貫通ネジ穴の各々に前記第２ネジを挿入して回転させることで、前記止水板が前記第２挟持片に向けて押圧されて前記第２パッキンが圧縮される。
【０００８】
本開示に係る浸水阻止機構によると、簡易な構成で十分に浸水が阻止される。
【図面の簡単な説明】
【０００９】
【図１】建物の入り口の構造物３Ｒ，３Ｌに設置された状態の浸水阻止機構１の斜視図である。
【図２】左側の保持レール３０Ｌの斜視図である。
【図３】止水板１０の斜視図である。
【図４】止水板１０の右側面図である。
【図５】図１におけるＡ−Ａ線矢視方向部分断面図である。
【発明を実施するための形態】
【００１０】
＜概要＞
本開示で例示する浸水阻止機構は、止水板と、２つの保持レールを備える。２つの保持レールは、入り口に固定されると共に、上方からスライドして挿入される止水板の左右の端部の各々を保持する。
【００１１】
２つの保持レールの各々は、第１挟持片、第２挟持片、ナット部材、ナット部材装着部、および第２貫通ネジ穴を備える。第１挟持片および第２挟持片は、止水板における左右の端部の各々の板面を前後方向から挟むように、互いに対向して配置される。ナット部材には、第１ネジのネジ部を挿入可能な第１貫通ネジ穴が形成されている。ナット部材装着部は、保持レールに挿入される止水板よりも上方に設けられており、ナット部材が着脱可能に装着される。第２貫通ネジ穴は、２つの第１挟持片の各々のうち、高さが互いに異なる少なくとも２つの位置に形成されている。第２貫通ネジ穴には第２ネジのネジ部が挿入される。
【００１２】
止水板は、第１パッキンおよび第２パッキンを備える。第１パッキンは、止水板の下端部に設けられ、設置面と止水板の間の隙間を埋める。第２パッキンは、２つの第２挟持片の各々に対向する位置に設けられ、第２挟持片と止水板の間の隙間を埋める。
【００１３】
本開示で例示する浸水阻止機構では、止水板が２つの保持レールに挿入された後、ナット部材装着部にナット部材が装着される。ナット部材の第１貫通ネジ穴に第１ネジを挿入して回転させることで、止水板が下方に押圧されて第１パッキンが圧縮される。また、複数の第２貫通ネジ穴の各々に第２ネジを挿入して回転させることで、止水板が第２挟持片に向けて押圧されて第２パッキンが圧縮される。
【００１４】
以上のように、本開示に係る浸水阻止機構によると、レバー等を用いない簡易な構成で浸水を阻止することができる。また、２つの第１ネジによって、止水板の左右が共に下方に押圧される。さらに、止水板は、複数の第２ネジによって、高さが異なる複数の位置で第２挟持片に向けて押圧される。従って、本開示に係る浸水阻止機構によると、より確実に隙間が埋まり、浸水が十分に阻止される。
【００１５】
なお、第１ネジおよび第２ネジは、作業者が手で回すことが可能なハンドル付きネジであってもよい。この場合、作業者は、ドライバーを用いずに容易に止水板を設置することができる。しかし、第１ネジおよび第２ネジは、ドライバーを用いて回すネジであってもよい。
【００１６】
止水板は、第１保護プレートを備えていてもよい。第１保護プレートは、ナット部材の第１貫通ネジ穴に対向する位置に設けられ、第１ネジの先端が当接する。第１保護プレートを用いる場合、第１ネジによって止水板が傷つけられることが抑制される。従って、種々の材質（例えば木製の板等）によって止水板の本体を製造することができる。
【００１７】
止水板は、第２保護プレートを備えていてもよい。第２保護プレートは、第１挟持片に設けられた第２貫通ネジ穴に対向する位置に設けられ、第２ネジの先端が当接する。第２保護プレートを用いる場合、第２ネジによって止水板が傷つけられることが抑制される。従って、種々の材質によって止水板の本体を製造することができる。
【００１８】
止水板は波返し板を備えていてもよい。波返し板は、止水板が保持レールに挿入された際に、止水板から建物の外部側に向けて延びる。波返し板は、止水板の上方を乗り越える水の量を減少させる。従って、波返し板を用いることで、止水板の高さが高くなることを抑制しつつ、浸水を効率よく阻止することができる。なお、波返し板は、止水板に着脱可能に取り付けられてもよい。
【００１９】
止水板のうち少なくとも外部側に向く板面は、防水材によってコーティングされていてもよい。この場合、水を吸収する材質（例えば木材等）で止水板の本体を製造することも容易である。
【００２０】
止水板の上部に取っ手が設けられていてもよい。この場合、作業者は止水板を容易に持ち運ぶことができる。なお、取っ手を用いる場合、取っ手の数は１つでなくてもよい。
【００２１】
２つの保持レールの各々における第２挟持片のうち、高さが互いに異なる少なくとも２つの位置に、第３貫通ネジ穴が形成されていてもよい。この場合、作業者は、第３貫通ネジ穴に第３ネジを挿通させることで、保持レールを建物に固定することができる。従って、建物の入り口のうち互いに対向する２つの壁の各々に保持レールを固定する場合とは異なり、入り口の幅が保持レールによって狭くなることが無い。従って、止水板を保持レールに設置しない場合に、保持レールが入り口を通る人の邪魔になり難い。
【００２２】
２つの保持レールの各々における第１挟持片のうち、第２貫通ネジ穴の各々に対向する位置に、穴または切欠きが形成されていてもよい。この場合、作業者は、保持レールの第２挟持片を容易に建物に固定することができる。
【００２３】
＜実施形態＞
以下、本開示における典型的な実施形態について、図面を参照して説明する。図１〜図３において、紙面右側を浸水阻止機構１の右側、紙面左側を浸水阻止機構１の左側、紙面上側を浸水阻止機構１の上側、紙面下側を浸水阻止機構１の下側、紙面右上側を浸水阻止機構１の背面側（後側）、紙面左下側を浸水阻止機構１の正面側（前側）とする。
【００２４】
まず、図１を参照して、本実施形態の浸水阻止機構１の概略構成について説明する。浸水阻止機構１は建物の入り口に設置され、入り口から建物の内部への浸水を阻止する。浸水阻止機構１は、止水板１０と、２つの保持レール３０Ｌ，３０Ｒを備える。本実施形態の止水板１０は、正面視略矩形の板状部材であり、保持レール３０Ｌ，３０Ｒに設置されることで浸水を阻止する。２つの保持レール３０Ｌ，３０Ｒは、建物の入り口における左側の構造物３Ｌおよび右側の構造物３Ｒ（例えば、アルミサッシ等）の各々に固定される。
【００２５】
豪雨等が発生する際、止水板１０は、２つの保持レール３０Ｌ，３０Ｒに上方からスライドして挿入される。その結果、止水板３０の左右の端部の各々が、２つの保持レール３０Ｌ，３０Ｒによって保持される。その後、第１ネジ３６および第２ネジ４２が締められることで、止水板１０の左右および下部の隙間が埋められる。この詳細は後述する。
【００２６】
図２を参照して、保持レール３０Ｌ，３０Ｒについて詳細に説明する。本実施形態では、左側の保持レール３０Ｌと右側の保持レール３０Ｒは左右対称である。従って、以下では、左側の保持レール３０Ｌについて説明を行い、右側の保持レール３０Ｒの説明は省略する。
【００２７】
本実施形態の保持レール３０Ｌは、基部３１、第１挟持片３２、および第２挟持片３３を備える。第１挟持片３２および第２挟持片３３は、止水板１０の左右の端部の各々の板面を前後方向から挟むように、互いに対向して配置される。第１挟持片３２には、止水板の左右の隙間を埋めるための第２ネジ４２が締めつけられる第２貫通ネジ穴４１が設けられている。また、本実施形態では、第２挟持片３３が構造物３Ｌ（図１参照）に固定されることで、保持レール３０Ｌが構造物３Ｌに固定される。
【００２８】
本実施形態の第１挟持片３２および第２挟持片３３は、上下方向を長手方向とする板状の部材であり、それぞれの板面は前後方向に対して垂直に配置される。ただし、第１挟持片３２および第２挟持片３３の形状を変更してもよい。基部３１は、第１挟持片３２と第２挟持片３３を接続する。一例として、本実施形態の基部３１は上下方向を長手方向とする板状の部材である。第１挟持片３２は基部３１の前側端部から内側（図２では右側）に延び、第２挟持片３３は基部３１の後側端部から内側に延びる。
【００２９】
保持レール３０Ｌには、ナット部材３５が着脱可能に装着される。ナット部材３５には、第１ネジ３６のネジ部を締め付けることが可能な第１貫通ネジ穴３７が形成されている。第１貫通ネジ穴３７は、ナット部材３５を上下方向に貫通している。一例として、本実施形態のナット部材３５は平面視矩形の板状部材である。しかし、ナット部材３５の形状を変更してもよいことは言うまでもない。
【００３０】
保持レール３０Ｌは、ナット部材３５を着脱可能に装着するナット部材装着部３９が設けられている。一例として、本実施形態では、第１挟持片３２および第２挟持片３３の各々の同じ高さに、内側（図２では右側）に向けて解放された有底の溝を形成することで、ナット部材装着部３９が設けられている。しかし、ナット部材装着部３９の構成を変更することも可能である。例えば、本実施形態のナット部材装着部３９は、第１挟持片３２および第２挟持片３３の各々を前後方向に貫通する溝（切欠き）であるが、溝は挟持片３２，３３を前後方向に貫通していなくてもよい。
【００３１】
ナット部材装着部３９は、保持レール３０Ｌのうち、止水板１０の上端部の高さよりも上方の位置に設けられている。つまり、保持レール３０Ｌに止水板１０が取り付けられると、ナット部材装着部３９に装着されるナット部材３５は、止水板１０よりも上方に位置する。従って、第１ネジ３６がナット部材３５の第１貫通ネジ穴３７に締め付けられると、止水板１０の上部は下方に向けて押圧される。
【００３２】
第１挟持片３２のうち、高さが互いに異なる２つの位置には、前後方向に貫通する第２貫通ネジ穴４１が形成されている。第２貫通ネジ穴４１には、止水板１０を後方に向けて押圧するための第２ネジ４２が締めつけられる。一例として、本実施形態では、１つの第１挟持片３２に２つの第２貫通ネジ穴４１が設けられているが、第２貫通ネジ穴４１の個数は変更してもよい。
【００３３】
第２挟持片３３のうち、高さが互いに異なる複数の位置には、前後方向に貫通する第３貫通ネジ穴４５が形成されている。第３貫通ネジ穴４５には、保持レール３０Ｌの第２挟持片３３を構造物３Ｌに固定するための第３ネジ４６が締め付けられる。第３ネジ４６は前側から締め付けられる。第３貫通ネジ穴４５が複数の位置に設けられているので、構造物３Ｌに対する保持レール３０Ｌの固定が安定する。なお、本実施形態では４つの第３貫通ネジ穴４５が設けられているが、第３貫通ネジ穴４５の個数は変更してもよい。本実施形態では、それぞれの第３貫通ネジ穴４５は、第３挟持片３２に設けられた第２貫通ネジ穴４１とは異なる高さに設けられている。
【００３４】
第１挟持片３２のうち、第３貫通ネジ穴４５の各々に対向する位置（つまり、それぞれの第３貫通ネジ穴４５と同じ高さとなる位置）には、ドライバーを挿通するための穴４８が形成されている。従って、作業者は、ドライバーを穴４８に通すことで、第１挟持片３２よりも後方に設けられた第３貫通ネジ穴４５に対して第３ネジ４６を容易に締め付けることができる。なお、本実施形態では円形の穴４８が用いられているが、穴４８の形状は円形でなくてもよい。また、穴４８の代わりに切欠き等が用いられてもよい。
【００３５】
なお、本実施形態では、左側の保持レール３０Ｌの下端部と右側の保持レール３０Ｒの下端部とを繋ぐ部材は設けられていない。従って、止水板１０の下端部は、建物の床面に直接押圧されることになる。しかし、左側の保持レール３０Ｌの下端部と右側の保持レール３０Ｒの下端部とを繋ぐ部材（例えば、レールまたは板等）が設けられていてもよい。この場合、レールまたは板が、止水板１０の下端部が接触する設置面となる。
【００３６】
図３および図４を参照して、止水板１０について詳細に説明する。なお、図３では、第２パッキン１３Ｌ，１３Ｒ（後述する）の図示は省略されている。本実施形態の止水板１０の本体１１には木材が用いられている。従って、建物の入り口の幅に応じて木材を切断することで、入り口の幅に応じた止水板１０が容易に作成される。ただし、木材以外の材質（例えば樹脂板等）によって本体１１を製造することも可能である。
【００３７】
本体１１のうち、少なくとも建物の外部側に向く板面（本実施形態では背面）の表面は、防水材によってコーティングされている。一例として、本実施形態では、本体１１の全面が防水材によってコーティングされている。また、防水材には、本体１１の着色も兼ねる防水塗料が用いられている。従って、止水板１０の美感が良好となる。
【００３８】
止水板１０の下端部には、左右方向の全長に渡って、設置面との間の隙間を埋める第１パッキン１２（例えばゴム（ラバー）パッキン等）が設けられている。従って、第１ネジ３６（図１および図２参照）によって止水板１０が下方に向けて押圧されることで、第１パッキン１２が圧縮されて、止水板１０の下方の隙間が埋まる。
【００３９】
止水板１０のうち、左側の保持レール３０Ｌの第２挟持片３３、および右側の保持レール３０Ｒの第２挟持片３３の各々に対向する位置（本実施形態では、止水板１０の背面における左右の端部）には、第２パッキン１３Ｌ，１３Ｒが設けられている。第２パッキン１３Ｌ，１３Ｒは、止水板１０と２つの挟持片３３の間の隙間を埋める。第２ネジ４２（図１および図２参照）によって止水板１０が第２挟持片３３に向けて押圧されることで、第２パッキン１３Ｌ，１３Ｒが圧縮されて、止水板１０の左右の隙間が埋まる。
【００４０】
止水板１０のうち、第１貫通ネジ穴３７（図２参照）に対向する位置（つまり、第１貫通ネジ穴３７に締め付けられる第１ネジ３６の先端が当たる位置）には、第１保護プレート１５Ｌ，１５Ｒが設けられている。本実施形態では、止水板１０の本体１１のうち、上面の左右の端部が第１貫通ネジ穴３７に対向する。第１保護プレート１５Ｌ，１５Ｒには、本体１１よりも強度の強い材質（例えば金属等）が用いられることが望ましい。
【００４１】
止水板１０のうち、第２貫通ネジ穴４１に対向する位置（つまり、第２貫通ネジ穴４１に締め付けられる第２ネジ４２の先端が当たる位置）には、第２保護プレート１６Ｌ，１６Ｒが設けられている。本実施形態では、止水板１０の本体１１のうち、正面における左右の端部の上下方向全長を覆うように、上下方向を長手方向とする第２保護プレート１６Ｌ，１６Ｒが設けられている。しかし、複数の第２貫通ネジ穴４１の各々に対応するように、複数の第２保護プレートが分割して設けられていてもよい。なお、第２保護プレート１６Ｌ，１６Ｒには、第１保護プレート１５Ｌ，１５Ｒと同様に、本体１１よりも強度の強い材質が用いられることが望ましい。
【００４２】
図２および図３に示すように、本実施形態の止水板１０には波返し板１８が設けられている。波返し板１８は、止水板１０が保持レール３０Ｌ，３０Ｒに設置された際に、建物の外部側に向けて延びる。その結果、止水板１０の上方の乗り越える水の量が、波返し板１８によって減少する。本実施形態では、止水板１０の背面側が建物の外部側に面するので、波返し板１８は止水板１０の背面に設けられている。しかし、止水板１０の正面側が建物の外部側に面するように浸水阻止機構１を設置することも可能である。この場合、波返し板１８は、止水板１０の正面に設けられる。なお、本実施形態の波返し板１８は、ネジ等によって止水板１０に着脱可能に装着される。従って、作業者は、波返し板１８を使用するか否かを必要に応じて選択することが可能である。
【００４３】
止水板１０の上部には、作業者によって把持される取っ手１９が設けられている。本実施形態では、取っ手１９は止水板１０の上面に１つ設けられている。しかし、取っ手１９の数は２つ以上であってもよい。また、取っ手１９の位置を変更することも可能である。例えば、止水板１０における正面の板面の上部、および背面の板面の上部の少なくともいずれかに取っ手１９が設けられていてもよい。取っ手１９が止水板１０の上部に設けられている場合、作業者は、止水板１０を保持レール３０Ｌ，３０Ｒに対して容易に上方からスライドさせることができる。
【００４４】
図５等を参照して、本実施形態の浸水阻止機構１の使用方法について説明する。まず、作業者は、保持レール３０Ｌ，３０Ｒを予め建物の構造物３Ｌ，３Ｒに固定しておく。本実施形態では、第２挟持片３３の第３貫通ネジ穴４５（図２参照）に第３ネジ４６を締め付けることで、第３挟持片３３が構造物３Ｌ，３Ｒに固定される。つまり、図１に示すように、保持レール３０Ｌは、構造物３Ｌ，３Ｒのうち互いに対向する壁５Ｌでなく、建物の内部側または外部側を向く壁４Ｌに固定される。従って、入り口の幅が保持レール３０Ｌ，３０Ｒによって狭くなることは無い。ただし、保持レール３０Ｌ，３０Ｒを、互いに対向する壁５Ｌに固定することも可能である。この場合、基部３１が構造物５Ｌに固定されてもよい。
【００４５】
本実施形態では、保持レール３０Ｌ，３０Ｒ（詳細には、保持レール３０Ｌ，３０Ｒの第２挟持片３３）と構造物３Ｌ，３Ｒの間に、隙間を埋めるコーティング４９（図５参照）が施される。従って、保持レール３０Ｌ，３０Ｒと構造物３Ｌ，３Ｒの間からの浸水がさらに抑制される。
【００４６】
豪雨等による浸水が予想される場合、作業者は、ナット部材装着部３９（図２参照）にナット部材３５を装着していない状態で、止水板１０を２つの保持レール３０Ｌ，３０Ｒに上方からスライドして挿入する。
【００４７】
作業者は、止水板１０を保持レール３０Ｌ，３０Ｒに取り付けた後、ナット部材３５をナット部材装着部３９に装着し、ナット部材３５の第１貫通ネジ穴３７に第１ネジを締め付ける。その結果、止水板１０の下部の第１パッキン１２が圧縮され、隙間が埋まる。
【００４８】
また、作業者は、第１挟持片３２の第２貫通ネジ穴４１に第２ネジ４２を締め付ける。その結果、図５に示すように、止水板１０の第２パッキン１３Ｌ，１３Ｒが第２挟持片３３に向けて押圧されて圧縮される。
【００４９】
なお、本実施形態では、第１ネジ３６および第２ネジ４２にはハンドル付きネジが用いられている。従って、作業者は、ドライバー等を使用しなくても迅速に止水板１０を取り付けることができる。また、第１ネジ３６の締め付けと第２ネジ４２の締め付けは、いずれを先に行ってもよい。
【符号の説明】
【００５０】
１    浸水阻止機構
３Ｌ，３Ｒ    構造物
１０    止水板
１２    第１パッキン
１３Ｌ，１３Ｒ    第２パッキン
１５Ｌ，１５Ｒ    第１保護プレート
１６Ｌ，１６Ｒ    第２保護プレート
１８    波返し板
１９    取っ手
３０Ｌ，３０Ｒ    保持レール
３２    第１挟持片
３３    第２挟持片
３５    ナット部材
３６    第１ネジ
３７    第１貫通ネジ穴
３９    ナット部材装着部
４１    第２貫通ネジ穴
４２    第２ネジ
４５    第３貫通ネジ穴
４６    第３ネジ
４８    穴
【図１】
2018145727.tif 000003
【図２】
2018145727.tif 000004
【図３】
2018145727.tif 000005
【図４】
2018145727.tif 000006
【図５】
2018145727.tif 000007